(57)【要約】【課題】パーソナルコンピュータ等の端末に接続して使用でき、取り扱い易く、かつ他の装置にも接続できるＩＣカード用リーダライタを提供する。【解決手段】本発明のＩＣカード用リーダライタ１は、ＩＳＯ７８１６規格に準拠した端子板１４とＵＳＢソケット１６を有しＩＣカードを挿入するカードホルダー１１と、ＵＳＢ受けソケットとＵＳＢケーブルを有するホルダー台座１２とが、ＵＳＢソケットとＵＳＢ受けソケット間を嵌合して使用できる構造にされ、該構造によりカードホルダー１１がホルダー台座１２に嵌合した状態でＩＣカード用リーダライタとして使用できると共に、ホルダー台座を使用しないで、カードホルダー単体で、ＩＣカード用リーダライタとしても使用できるＩＣカード用リーダライタにおいて、カードホルダー台座には、さらに外部装置接続用ＵＳＢ受けソケット２１とＵＳＢハブ装置２２を備えることを特徴とする。【選択図】    図１
2004234254.tif 000002
【特許請求の範囲】
【請求項１】
ＩＳＯ７８１６規格に準拠した端子板とＵＳＢソケットを有しＩＣカードを挿入するカードホルダーと、ＵＳＢ受けソケットとＵＳＢケーブルを有するカードホルダー台座とが、ＵＳＢソケットとＵＳＢ受けソケット間を嵌合して使用できる構造にされ、該構造によりカードホルダーがカードホルダー台座に嵌合した状態でＩＣカード用リーダライタとして使用できると共に、カードホルダー台座を使用しないで、カードホルダー単体で、ＩＣカード用リーダライタとしても使用できるＩＣカード用リーダライタにおいて、カードホルダー台座には、さらに外部装置接続用ＵＳＢ受けソケットとＵＳＢハブ装置を備える、ことを特徴とするＩＣカード用リーダライタ。
【請求項２】
外部装置接続用ＵＳＢ受けソケットを複数個備えることを特徴とする請求項１記載のＩＣカード用リーダライタ。
【請求項３】
カードホルダーのＵＳＢソケット取り付け部に、張り出し部材を設けたことを特徴とする請求項１記載のＩＣカード用リーダライタ。
【請求項４】
カードホルダーに表裏識別用の凸状部材を設け、ホルダー台座に当該凸状部材が差し込まれる凹溝を設けたことを特徴とする請求項１記載のＩＣカード用リーダライタ。
【発明の詳細な説明】
【０００１】
【発明の属する技術分野】
この発明は、ＩＣカード用リーダライタに関する。
詳しくは、パーソナルコンピュータとの接続に用いられるＩＣカード用リーダライタであって、机上での取り扱い性や操作性の向上を図ったリーダライタに関する。
したがって、本発明の利用分野は、ＩＣカード用リーダライタの利用や製造分野に関する。
【０００２】
【従来技術】
ＩＣカードは携帯の利便性と多量の情報記録性、偽造や改ざんの困難性から磁気カードに代わって広範に使用されるようになってきている。また、ＩＣカードのマルチアプリケーション化も図られ、社員証やショッピング用途、ポイントカード等との兼用も行われるようになってきている。
これにより、ＩＣカードをパーソナルコンピュータ（以下、「ＰＣ」と表現する場合もある。）等の端末で使用してインターネットショッピング等がされるようになってきている。
【０００３】
一方、企業等におけるＰＣは、ネットワーク化され、一の端末であるＰＣから各種の情報にアクセスできるので、権限のない者が無断で使用する場合は、企業秘密の漏洩につながる場合がある。
そこで、このような背景から、ＩＣカードが個人のＰＣアクセス権限認証の有効な手段として用いられるようになってきている。そのため、ＰＣにＩＣカード用リーダライタを接続し、ログオン／個人認証に用いられることが多くなってきている。
【０００４】
ＰＣ用ＩＣカードリーダライタは既に公知であり、先行技術として特許文献１、特許文献２、非特許文献１、等がある。特許文献１はデスクトップ型パーソナルコンピュータに使用するＩＣメモリカードユニットを提案するが、デスクトップ側に特別なファイルスロットが必要となる問題がある。
特許文献２は、接触式ＩＣカードリーダ／ライタを搭載した携帯端末をＰＣに接続して使用することを記載しているが、机上での取り扱い性については言及していない。
非特許文献１は、後述するような実際の市販品に関するものである。
【０００５】
【特許文献１】特開平７−２９５６８２号公報
【特許文献２】特開２０００−７６３９５号公報
【非特許文献１】松下電器産業株式会社カタログ「ＩＣカードリーダ／ライタ（ＺＵ９００００Ｐシリーズ）」
【０００６】
図８は、従来のＩＣカード用リーダライタを示す外観斜視図であって、図９は、その透視図である。
従来品のＩＣカード用リーダライタ１０は、図８のように、ＩＣカードが差し込まれるカードホルダー１１とホルダー台座１２とが一体に成型されたものである。図９のように、カード挿入口１３から挿入したＩＣカードの接触端子板は、カードホルダー１１側のＩＳＯに準拠した端子板（８ピンのコネクタ）１４と接触するようにされている。端子板１４は、さらに、ＵＳＢコネクタ１９付きＵＳＢケーブル１８によってＰＣに接続する。
ＩＣカード用リーダライタ１０は、ＵＳＢインターフェースを内蔵し、電源はＵＳＢケーブル１８を介してＰＣから取得できる。
【０００７】
【発明が解決しようとする課題】
しかし、従来のＩＣカード用リーダライタは、カードホルダーとホルダー台座が一体になっていて、机上で使用する場合、大きな設置スペースが必要となり、操作の邪魔になる問題があった。
さらに、ＩＣカード用リーダライタに他の装置接続用の受けソケットが無いので、外部装置のデータを利用できない問題もあった。
そこで、本願発明者は、カードホルダーとホルダー台座を分離して使用できるようにするとともに、他の端末装置をＩＣカード用リーダライタを介してＰＣに接続できるようにすることを研究して、本発明の完成に至ったものである。
【０００８】
【課題を解決するための手段】
上記課題を解決するための本発明の要旨は、ＩＳＯ７８１６規格に準拠した端子板とＵＳＢソケットを有しＩＣカードを挿入するカードホルダーと、ＵＳＢ受けソケットとＵＳＢケーブルを有するカードホルダー台座とが、ＵＳＢソケットとＵＳＢ受けソケット間を嵌合して使用できる構造にされ、該構造によりカードホルダーがカードホルダー台座に嵌合した状態でＩＣカード用リーダライタとして使用できると共に、カードホルダー台座を使用しないで、カードホルダー単体で、ＩＣカード用リーダライタとしても使用できるＩＣカード用リーダライタにおいて、カードホルダー台座には、さらに外部装置接続用ＵＳＢ受けソケットとＵＳＢハブ装置を備える、ことを特徴とするＩＣカード用リーダライタ、にある。
【０００９】
上記ＩＣカード用リーダライタにおいて、外部装置接続用ＵＳＢ受けソケットを複数個備えるようにすることができ、カードホルダーのＵＳＢソケット取り付け部に、張り出し部材を設ければ、カードホルダーのＵＳＢソケット結合を強固にでき、カードホルダーに表裏識別用の凸状部材を設け、ホルダー台座に当該凸状部材が差し込まれる凹溝を設ければ、表裏を間違えることがない。
【００１０】
【発明の実施の形態】
以下、本発明のＩＣカード用リーダライタについて図面を参照して説明する。
図１は、本発明のＩＣカード用リーダライタを示す透視斜視図、図２は、ＩＣカード用リーダライタのカードホルダー（Ａ）とカードホルダー台座（Ｂ）を示す正面図、図３は、カードホルダー単体でＩＣカードを読み取りする状態を示す図、図４は、カードホルダーの他の実施形態を示す図、図５、図６、図７は、カードホルダーとホルダー台座の他の実施形態を示す図、である。
【００１１】
本発明のＩＣカード用リーダライタ１は、本来的には図１のように、ホルダー台座１２にカードホルダー１１を嵌め込んで使用する。カードホルダー１１は、ＩＣカードを縦方向に挿入する（幅の狭い側を挿入する。）カード挿入口１３とホルダー内でＩＣカードの端子板と接触する端子板（コネクタ部）１４、およびＵＳＢインターフェース等の回路板１５を有している。
図示していないが、ＩＣカードの接触端子板とカードホルダー側端子板１４との良好な接触を確保するため、板バネ等の押圧機構等もカードホルダー内に設けられている。
【００１２】
カードホルダー１１はさらに、当該回路板１５と電気的に接続し、当該カードホルダーの底面に突出するＵＳＢソケット１６を有している。
ＵＳＢソケット１６の位置は、端末のＵＳＢ受けソケットに挿し込んだ場合に力が均一にかかるため、カードホルダー１１の中央下面当りが好ましいが、これには限られない。
カードホルダー台座１２は、カードホルダー１１の下面側を嵌め込みできる受け口（挿入嵌部）とＵＳＢソケット１６を嵌め込みできるＵＳＢ受けソケット１６を有していて、この両者間において電気的接続がなされる。
【００１３】
本発明においては、カードホルダー台座１２が、さらに外部装置接続用ＵＳＢ受けソケット２１とＵＳＢハブ装置２２を備えている特徴がある。
ＵＳＢハブ装置２２は、スイッチング機能付き集線装置ともいうべきもので、ＵＳＢ受けソケット１７と外部装置接続用ＵＳＢ受けソケット２１の信号を適宜選択して、ＰＣに送信する機能を果たす。
ＵＳＢはひとつのホストコントローラ（ＰＣ）に対し、最大６分岐までのＨＵＢ（ハブ〜集線装置）を介して最大１２７台のデバイスをツリー型に接続することができる。ツリー型のため、例えば、ここではＵＳＢ受けソケット２１が受けた信号はＰＣに直行する。ＵＳＢ受けソケット１７の信号もＰＣに直行する。
【００１４】
ＵＳＢハブ装置２２は、３〜４のデバイスに接続すれば良く、大規模のものは必要ない。本発明のＩＣカード用リーダライタに使用できるような装置は、１０ｍｍ×１０ｍｍ×３ｍｍ程度のもの（例えば、日本電気株式会社製「ハブコントローラチップμＰＤ７２０１２」が市販されていて実用可能である。
なお、図１以下の各図では、外部装置接続用ＵＳＢ受けソケット２１がＩＣカード用リーダライタ１に、１個だけ設ける例が図示されているが複数個備えるものであっても構わない。
【００１５】
図２（Ａ）のカードホルダー１１は、ＩＣカード２を縦方向に挿入できる構造を有し、内部でＩＣカード２の接触端子板と接触する端子板１４と回路板１５を有している。端子板１４はＩＳＯの規格に準拠した８ピンを有する。回路板１５は必要によりＵＳＢ変換ＩＣを備え、さらにＵＳＢソケット１６に接続するＩＳＯコネクタ回路を有している。
【００１６】
ＩＣカードの挿入は、ＩＣカード２の端子板とカードホルダー１１の端子板間が接触できれば、縦方向でも横方向でも構わないが、縦方向であればカードホルダー１１の長さＬを短くでき設置面積を小さくできる。
カードホルダー１１の長さＬは、５６〜７０ｍｍ程度にでき、高さＨは、３０〜３５ｍｍ程度が適切であるが、特に限定はされない。ＩＣカード２を端子板側から挿入して、この深さまでの挿入口１３に挿し込みすれば、ＩＣカード２の接触端子板が十分にホルダー側端子板１４と接触できる深さに達する。
【００１７】
カードホルダー１１を図２（Ｂ）のホルダー台座１２に嵌め込み、一体化して使用する場合は、ホルダー台座１２の受け口８にカードホルダー１１を挿し込みし、さらにＵＳＢソケット１６をホルダー台座１２のＵＳＢ受けソケット１７に嵌め込みして使用する。これによりＩＣカード２の信号は、ＵＳＢハブ装置２２とＵＳＢケーブル１８を介してＰＣに送信される。
【００１８】
ＩＣカード用リーダライタ１は、外部装置接続用ＵＳＢ受けソケット２１を備えているので、ＩＣカード２と他の装置を併用した利用方法が可能となる。
例えば、本人認証の際に本人の指紋をも参照する場合は、ＵＳＢ受けソケット２１に指紋センサを接続して、本人の指紋を読取りし、当該本人の指紋データをＵＳＢハブ装置２２を介してＰＣに送信することができる。
アクセス権限のある者の指紋データがＩＣカードに蓄積されている場合は、ＩＣカードが当該蓄積データと読取りデータの照合を行って、許可する者であればアクセスを認めるようにすることもできる。このような使用方法であれば、高度の本人認証が可能となる。
【００１９】
あるいはまた、メモリストレージデバイスに接続して、ＩＣカード２に蓄積できない過剰のデータを当該メモリストレージデバイスに蓄積するようにすることもできる。ＩＣカード２がＩＣカード用リーダライタ１に挿入されている場合に限り当該メモリストレージデバイスにアクセス可能に制御することもできる。
このような使用方法により、ＩＣカード用リーダライタ１をＰＣのＵＳＢ受けソケットに接続した場合に、ＰＣの受けソケットが他のデバイスに使用できなくなっても、このホルダー台座１２の外部装置接続用ＵＳＢ受けソケット２１を利用して他のデバイスに接続できる利点が生じる。
【００２０】
図２（Ｂ）において、ホルダー台座の受け口８の深さｈ１は、１０〜２０ｍｍ程度、受け口８と外部装置接続用ＵＳＢ受けソケット２１の上面との間ｈ２は、５〜１０ｍｍ程度、当該受けソケット２１の高さ（幅）ｈ３は、８〜１０ｍｍ程度、受けソケット２１の下面の台座底部からの高さｈ４は、１０〜１５ｍｍ程度、台座１２全体の高さは３５〜５０ｍｍ程度が適切である。
【００２１】
カードホルダー１１は、ＵＳＢソケット１６をＰＣの受けソケットに差し込みして単体でＩＣカード用リーダライタとして使用することもできる。
カードホルダー単体でＩＣカード２を読み取りする場合は、図３のように、カードホルダー１１のＵＳＢソケット１６をパーソナルコンピュータ４のＵＳＢ受けソケット４１に直接差し込みして使用する。この場合は、カードホルダー１１の外形も小さく、ケーブルも不要なので設置スペースを最小にできる利点がある。ＵＳＢ受けソケット４１はＰＣの側面にある場合であっても良い。
上記は、パーソナルコンピュータでの使用について説明しているが、ＵＳＢ規格に適合するデジタルカメラや携帯端末、その他の各種モバイル環境で同様に利用できることは、当業者には自明のことである。
【００２２】
図４は、カードホルダー１１の他の実施形態を示すが、カードホルダー１１の本体部とＵＳＢソケット１６との間に張り出し部材９を設けた特徴がある。
張り出し部材９の高さｈ５は、数ｍｍ程度で良い。当該張り出し部材９が有ることにより、端末側のＵＳＢ受けソケットが窪んでいる場合に対応できる。
また、カードホルダー１１とホルダー台座１２間、またはＰＣに直接装着した場合にも強固な結合を維持でき、不用意にカードホルダー１１が抜けるようなことがなくなる。
ホルダー台座１２側やＰＣにも張り出し部材９が嵌合する凹部を設ける。
【００２３】
図５は、カードホルダーとホルダー台座の他の実施形態を示す図、図６は、そのカードホルダーを示す図、図７は、そのホルダー台座を示す図、である。
この実施形態の場合、図５、図６のように、カードホルダー１１の側面に凸状部材６を設けた特徴がある。同じく、ホルダー台座１２には、図７のように、当該凸状部材６が差し込まれる凹溝７が形成されている。
このような形態とすることにより、カードホルダー１１をホルダー台座から分離して使用した後に、再び組み合わせて使用する際、表裏逆挿しすることがない。なお、凸状部材６の形状に制限はなく、断面を円弧状にして突出させたものであってもよい。
【００２４】
カードホルダーの側面には、図１のように、ＩＣカードの差し込み方向を指示する矢印状の指示マーク３を設けたり、図５のように、端子板図形５を表示しても良い。このようにすることで、ＩＣカードの差し込み方向を間違えたり、挿し込み方向を考えて無駄に悩むようなことがなくなる。
【００２５】
カードホルダー１１やホルダー台座１２は、ポリプロピレンやポリエチレン、ポリスチレン、塩化ビニル、ポリカーボネート、アクリル樹脂、等を射出成型し、必要な回路や端子板、ハブ装置、ＵＳＢ受けソケットを組み込みして製造することができる。
【００２６】
【発明の効果】
上述のように、本発明のＩＣカード用リーダライタは、外部装置接続用ＵＳＢ受けソケットとハブ装置を有しているので、外部装置、例えば指紋認証装置を接続して、本人の指紋認証と合わせて本人を認証するような高度な使用方法を採用することができる。
また、カードホルダーとホルダー台座が分割できる構造にされているので、カードホルダーを直接、ＰＣ等の端末に接続でき、単体での使用が可能である。
したがって、机上にスペースが無い場合であっても使用できる利点がある。さらに、カードホルダーだけを携帯して、ＰＣ以外の各種モバイル環境でも同様に利用できる。
【図面の簡単な説明】
【図１】本発明のＩＣカード用リーダライタを示す透視斜視図である。
【図２】ＩＣカード用リーダライタのカードホルダーとカードホルダー台座を示す正面図である。
【図３】カードホルダー単体でＩＣカードを読み取る状態を示す図である。
【図４】カードホルダーの他の実施形態を示す図である。
【図５】カードホルダーとホルダー台座の他の実施形態を示す図である。
【図６】カードホルダーの他の実施形態を示す図である。
【図７】ホルダー台座の他の実施形態を示す図である。
【図８】従来のＩＣカードリーダライタを示す外観斜視図である。
【図９】同透視図である。
【符号の説明】
１    ＩＣカード用リーダライタ
２    ＩＣカード
３    指示マーク
４    パーソナルコンピュータ
５    端子板図形
６    凸状部材
７    凹溝
８    受け口
９    張り出し部材
１０    従来のＩＣカード用リーダライタ
１１    カードホルダー
１２    ホルダー台座
１３    カード挿入口
１４    端子板
１５    回路板
１６    ＵＳＢソケット
１７    ＵＳＢ受けソケット
１８    ＵＳＢケーブル
１９    ＵＳＢコネクタ
２１    外部装置接続用ＵＳＢ受けソケット
２２    ＵＳＢハブ装置
【図１】
2004234254.tif 000003
【図２】
2004234254.tif 000004
【図３】
2004234254.tif 000005
【図４】
2004234254.tif 000006
【図５】
2004234254.tif 000007
【図６】
2004234254.tif 000008
【図７】
2004234254.tif 000009
【図８】
2004234254.tif 000010
【図９】
2004234254.tif 000011